(57)【要約】【課題】  流し読みで両面同時読み取り可能な画像読み取り装置において、片面読み取り時の生産性を向上させる。【解決手段】  ２つの原稿搬送経路と２つの画像読み取り手段を備える。画像読み取り手段の１つは、２つの原稿搬送経路のいずれかを搬送される原稿を読み取り可能な位置に、選択的に配置可能である。両面流し読み時には、２つの画像読み取り手段により、原稿の両面を同時に読み取り、片面流し読み時には、原稿は２つの原稿搬送経路に交互に搬送され、２つの画像読み取り手段が、２枚の原稿の片面を同時に読み取る。【選択図】図１
2006217033.tif 000002
【特許請求の範囲】
【請求項１】
シート状の原稿を搬送する原稿搬送手段を備え、流し読み方式による画像読み取りを行う画像読み取り装置であり、
第１の画像読み取り手段と、第２の画像読み取り手段を備え、
第１の原稿搬送経路と、第２の原稿搬送経路を備え、
前記２つの原稿搬送経路の分岐点に備えられた切り換え手段により、それぞれの原稿搬送経路にシート状原稿を選択的に搬送可能であり、
第１の画像読取手段は、第１の原稿搬送経路を搬送されるシート状原稿の片面の画像を読み取り可能な位置に配置され、
第２の原稿読取手段は、第１の原稿搬送経路を搬送されるシート状原稿の、第１の原稿読取手段とは反対側の面を読取可能な位置と、第２の原稿搬送経路を搬送される原稿の片面を読み取り可能な位置に、選択的に配置される
ことを特徴とする画像読取装置。
【請求項２】
原稿読み取りモードが流し読み両面モードの場合は、第２の画像読取手段は、第１の原稿搬送経路を搬送されるシート状原稿を読み取り可能な位置に配置され、第１の画像読取手段第と第２の画像読取手段により原稿の両面の画像を同時に読み取り、
原稿読み取りモードが流し読み片面モードの場合は、第２の画像読取手段は、第２の原稿搬送経路を搬送されるシート状原稿を読取可能な位置に配置され、
シート状原稿は、第１の原稿搬送経路と第２の原稿搬送経路に交互に搬送され、
第１の画像読取手段は第１の原稿搬送経路を搬送される原稿を、また第２の画像読取手段は第２の原稿搬送経路を搬送される原稿を、同時に読み取る
ことを特徴とする、請求項１記載の画像読取装置。
【請求項３】
ブック読み用の原稿台ガラスと、流し読み用の流し読みガラスを備え、
前記第１の画像読み取り手段は、前記２つのガラスに対向する位置を移動可能に保持され、
ブック読みと流し読みで、前記第１の画像読み取り手段を共用する
ことを特徴とする請求項１記載の画像読み取り装置。
【請求項４】
シート状原稿を、所定の画像読み取り速度より速い速度で給紙、搬送し、原稿の先端が画像読み取り位置に到達する前に搬送速度を所定の画像読み取り速度に減速し、画像読み取りを行う
ことを特徴とする、請求項１記載の画像読取装置。
【請求項５】
所定の搬送速度でシート状原稿の画像読み取り終了後、搬送速度を増速し、原稿を排出する
ことを特徴とする、請求項１記載の画像読取装置。
【発明の詳細な説明】
【技術分野】
【０００１】
本発明は、複写機、スキャナー、ファクシミリ装置等の、画像読み取り装置に関し、特に、シート状の原稿を画像読み取り部に自動的に搬送するシート搬送装置を備え、２つの画像読取手段により、原稿の両面を同時に読み取り可能な画像読み取り装置に関するものである。
【背景技術】
【０００２】
従来、デジタル複写機、プリンター、ファクシミリ等に設けられた画像読み取り装置には、シート状の原稿を画像読み取り装置に自動給紙するため、シート自動搬送装置の一例である原稿処理装置（以下、ＡＤＦ（Ａｕｔｏ  Ｄｏｃｕｍｅｎｔ  Ｆｅｅｄｅｒ）という）を開閉自在に備えたものがある。
【０００３】
ＡＤＦを備えた画像読み取り装置による読み取り方法の１つとして、画像読取装置に備えられたプラテンガラスの所定の読み取り位置に画像読み取り手段を固定し、この読み取り位置上で原稿を一定の速度で移動させることにより、画像を読み込む方法（以下流し読みとする）が知られている。この流し読みは、原稿交換速度を速くできるという利点があり、大量のシート状の原稿を高速に処理する読み取り方法として、多くの製品で用いられている技術である。
【０００４】
原稿の両面の画像を自動的に読み取る方法としては、原稿の片面を読み取り後、原稿を反転してもう一度読み取り部に搬送し、裏面を読み取る方法が用いられてきたが、さらに原稿の両面を高速に読み取る方法として、図１０に示したように、原稿搬送経路をはさんで２つの画像読取手段を配置し、搬送される原稿の両面を同時に読み取る方法が提案されている。この画像読み取り装置は、第１の画像読み取り手段であるＣＩＳ２０１と、第２の画像読み取り手段であるＣＩＳ２０２が、原稿搬送経路の両側に配置されている。給紙トレーから給紙された原稿はＣＩＳ２０１とＣＩＳ２０２の間を搬送され、原稿の両面の画像が同時に読み取られる。
【０００５】
又、別の従来例としては、例えば特許文献１をあげることが出来る。
【特許文献１】特開２００３−２３４８７４号公報
【発明の開示】
【発明が解決しようとする課題】
【０００６】
しかしながら、上記の両面同時読み取り可能な従来の画像読み取り装置では、片面読み取り時には、２つの画像読み取り手段のうち、裏面読み取り用の画像読み取り手段は使用されない。このため、画像読み取り手段を１つしか持たない画像読み取り装置と比較して、２つの画像読み取り手段と、両面の画像を同時に処理できる画像処理手段を備えるため、大幅なコストアップになるにも関わらず、片面読み取り時の原稿処理速度はなんら向上してはいなかった。
【課題を解決するための手段】
【０００７】
上記問題を解決し、片面読み取り時の処理速度を向上させるため、本発明の画像読み取り装置は、第１の原稿搬送経路と、第２の原稿搬送経路を備えている。また、本発明の画像読み取り装置は、第１の画像読み取り手段と第２の画像読み取り手段を備えている。第１の画像読取手段は、第１の原稿搬送経路を搬送されるシート状原稿の片面の画像を読み取り可能な位置に配置され、第２の原稿読取手段は、第１の原稿搬送経路を搬送されるシート状原稿の、第１の原稿読取手段とは反対側の面を読取可能な位置と、第２の原稿搬送経路を搬送される原稿の片面を読み取り可能な位置に、選択的に配置される。
【０００８】
片面読み取りモードの場合、第２の画像読取手段は、第２の原稿搬送経路を搬送されるシート状原稿を読取可能な位置に配置される。原稿はフラッパにより分岐され、第１、第２の搬送路に交互に搬送される。原稿は、画像読み取り速度よりも速い速度で搬送され、先端が画像読み取り位置に到達する前に画像読み取り速度に減速され、第１の画像搬送路に搬送された原稿は、第１の画像読み取り手段により、第２の画像搬送路に搬送された原稿は、第２の画像読み取り手段により、それぞれ読み取られる。画像読み取りが終了すると、原稿は再び画像読み取り速度より速い速度で搬送され、排出される。
【発明の効果】
【０００９】
以上説明したように、本発明の画像読み取り装置は、片面流し読みモード時に２つの原稿搬送経路に原稿を交互に搬送し、２つの画像読み取り手段により、同時に２枚の原稿の画像を読み取ることに加え、画像読み取り時以外の原稿搬送速度を所定の原稿読み取り速度より増速することにより、従来の両面同時読み取り可能な画像読み取り装置に較べて、片面流し読み時の原稿処理速度を大幅に向上している。
【発明を実施するための最良の形態】
【００１０】
（実施例１）
以下に図面を参照して、本発明の実施の形態を説明する。
【００１１】
図１に、本実施例の画像読み取り装置を示す。
【００１２】
図１の画像読み取り装置１は、下部の画像読み取り部１０１と、その上部に開閉可能に取り付けられた原稿搬送部（ＡＤＦ）１０２により構成されている。
【００１３】
画像読み取り部１０１は、ブック読み方式用の原稿台ガラス４０９と、流し読み方式用の流し読みガラス４０６、さらに、両方の読み取り方法で共用される第１の画像読み取り手段であるコンタクト・イメージ・センサ（以下ＣＩＳ）２０１を備えている。
【００１４】
ＡＤＦ１０２は第１の原稿搬送経路３１０、第２の原稿搬送経路３２０を備えている。給紙トレー４０１から給紙搬送された原稿は、フラッパ４０３により分岐され、第１の原稿搬送経路３１０、または第２の原稿搬送経路３２０に搬送される。また、ＡＤＦ１０２は、第２の画像読み取り手段であるＣＩＳ２０２を備えている。第２の画像読み取り手段であるＣＩＳ２０２は、原稿搬送方向と垂直な回転軸を中心に回転可能に取り付けられ、第１の原稿搬送経路３１０を搬送される原稿を読み取り可能な位置と、第２の原稿搬送経路３２０を搬送される原稿を読み取り可能な位置に、それぞれ流し読みガラス４０７，４０８に対向して固定可能である。
【００１５】
以下に、画像読み取り装置の、各読み取りモードにおける動作を説明する。
【００１６】
・ブック読みモード
原稿台ガラス４０９上に置かれた原稿は、ＡＤＦ１０２の白色圧板４１０により固定され、ＣＩＳ２０１が原稿台ガラス４０９の下を所定の速度で副走査方向に駆動されながら原稿を読み取る。
【００１７】
・両面流し読みモード
第１の画像読み取り手段であるＣＩＳ２０１は、流し読みガラス４０６に対向した画像読み取り位置に固定される。
【００１８】
第２の画像読み取り手段であるＣＩＳ２０２は、第１の原稿搬送経路３１０を搬送される原稿を読み取り可能な、流し読みガラス４０７に対向した画像読み取り位置に固定される。ＡＤＦ１０２の給紙トレー４０１に積載された原稿５０１は、給紙ローラ３０１により給紙され、フラッパ４０３により第１の原稿搬送経路３１０に導かれる。さらに搬送ローラ３１１〜３１４により所定の速度で搬送された原稿は、ＣＩＳ２０１により片面の画像を、さらにＣＩＳ２０２により反対側の面の画像を同時に読み取られる。画像読み取り位置を通過した原稿は、ジャンプ台４０４により搬送ローラ３１５へと導かれ、排紙トレー４０５へと排出される。
【００１９】
・片面流し読みモード
第１の画像読み取り手段であるＣＩＳ２０１は、流し読みガラス４０６に対向した画像読み取り位置に固定される。
【００２０】
第２の画像読み取り手段であるＣＩＳは、第２の原稿搬送経路を搬送される原稿を読み取り可能な、流し読みガラス４０８に対向した画像読み取り位置に固定される。
【００２１】
以下図面を参照しながら、原稿搬送と読み取り動作を詳しく説明する。
【００２２】
図２：ＡＤＦ１０２の給紙トレー４０１に読み取り画像面を上にして積載された原稿から、１枚目の原稿５０１が、給紙ローラ３０１および分離ローラ３０２により１枚だけ分離され、給紙される。給紙された原稿５０１は、停止したレジローラ対３０３に突き当てられ、所定時間ループを形成し斜行補正した後、所定の画像読み取り速度Ｖ１よりも速い速度Ｖ２（本実施例においてはＶ１の２倍）で搬送され、切り換え手段であるフラッパ４０３により第１の原稿搬送経路３１０に導かれる。このとき、原稿先端は原稿検知センサ４０２により検知され、そのタイミングと原稿搬送速度に基づき、制御手段により原稿先端位置が求められる。
【００２３】
図３：原稿先端がＣＩＳ２０１による原稿読み取り位置に到達する直前に、原稿５０１は所定の画像読み取り速度Ｖ１に減速され、画像読み取りが開始される。一方、１枚目の原稿５０１の後端が原稿検知センサ４０２を通過すると、２枚目の原稿５０２が給紙され、速度Ｖ２で搬送され、フラッパ４０３により第２の原稿搬送経路３２０に導かれる。
【００２４】
図４：２枚目の原稿先端がＣＩＳ２０２による原稿読み取り位置に到達する直前に、搬送速度は所定の画像読み取り速度Ｖ１に減速され、ＣＩＳ２０２により画像読み取りが行われる。このとき、２枚目の原稿５０２は、搬送距離の短い第２の原稿搬送経路３２０を、速度Ｖ２で搬送されてくるため、１枚目の原稿５０１の画像読み取りは終了していない。したがって、１枚目の原稿と２枚目の原稿は、同時に画像読み取りが行われる。また、２枚目の原稿５０２の後端が原稿検知センサ４０２を通過すると、３枚目の原稿５０３が給紙され、速度Ｖ２で搬送され、フラッパ４０３により第１の原稿搬送経路３１０に導かれる。
【００２５】
図５：１枚目の原稿５０１の後端が画像読み取り位置を通過し、画像読み取りが終了すると、搬送速度はＶ２に増速され、１枚目の原稿５０２は画像面を下向きにして、排紙トレー４０５へと排出される。このとき、１枚目の原稿５０１は画像読み取り中は速度Ｖ１で搬送されていたのに対し、３枚目の原稿５０３は、速度Ｖ２で搬送されているため、１枚目の原稿と３枚目の原稿の間隔は小さくなり、１枚目の原稿５０１の画像読み取り終了から３枚目の原稿５０３の画像読み取り開始までの時間は、原稿１枚分の画像読み取りに要する時間よりも短くなる。
【００２６】
図６：３枚目の原稿５０３の先端が画像読み取り位置に到達する前に、搬送速度は所定の画像読み取り速度Ｖ１に減速され、ＣＩＳ２０１により画像読み取りが開始される。一方、３枚目の原稿５０３１の後端が原稿検知センサ４０２を通過すると、４枚目の原稿５０４が給紙され、速度Ｖ２で搬送され、フラッパ４０３により第２の原稿搬送経路３２０に導かれる。
【００２７】
図７：２枚目の原稿５０２の後端が画像読み取り位置を通過し、画像読み取りが終了すると、２枚目の原稿の搬送速度はＶ２に増速され、１枚目の原稿５０１に続いて排紙トレー４０５へと排出される。このとき、第３の原稿５０３は画像読み取り速度Ｖ１で搬送されているため、第３の原稿５０３の先端が排紙トレー４０５に排出されるよりも早く、第２の原稿５０２の後端が排紙トレー４０５に排出される。こうして、排紙トレー上には、原稿が給紙された順序で画像面を下にして積載される。
【００２８】
図８：４枚目の原稿先端がＣＩＳ  ２０２による原稿読み取り位置に到達する直前に、搬送速度は所定の画像読み取り速度Ｖ１に減速され、ＣＩＳ  ２０２により画像読み取りが行われる。
【００２９】
このときの３枚目の原稿５０３と、４枚目の原稿５０４の位置関係は、図４における１枚目の原稿５０１と、２枚目の原稿５０２の位置関係と同じである。
【００３０】
以下同様にして、給紙トレーに積載された原稿枚数に応じて、原稿搬送、画像読み取り動作が繰り返される。
【００３１】
図５、図６における１枚目の原稿５０１と３枚目の原稿５０３の位置関係により示されるように、本発明の画像読み取り装置の片面流し読みモードにおいては、ある原稿の画像読み取り終了時点での後端と、その２枚後に給紙された原稿先端までの紙間距離は、図１０に示される従来の画像読み取り装置における、ある原稿の後端から、次に給紙された原稿先端までの紙間距離の略２倍となっている。本発明の画像読み取り装置においては、画像読み取り時以外は、原稿は所定の画像読み取り速度Ｖ１の２倍の速度Ｖ２で搬送されている。そのため、本発明の画像読み取り装置の、ある原稿と２枚後の原稿との紙間時間は、従来の画像読み取り装置における、ある原稿と次の原稿との紙間時間と略同等である。すなわち、本発明の画像読み取り装置においては、片面流し読みモードにおける原稿処理速度が、従来の画像読み取り装置の略２倍に向上している。
図９は、本発明の画像読み取り装置の、両面流し読みモードにおける動作を示す断面図である。
【図面の簡単な説明】
【００３２】
【図１】本発明の画像読み取り装置の、断面図である。
【図２】本発明の画像読み取り装置の、片面流し読みモードにおける動作を示す断面図である。
【図３】本発明の画像読み取り装置の、片面流し読みモードにおける動作を示す断面図である。
【図４】本発明の画像読み取り装置の、片面流し読みモードにおける動作を示す断面図である。
【図５】本発明の画像読み取り装置の、片面流し読みモードにおける動作を示す断面図である。
【図６】本発明の画像読み取り装置の、片面流し読みモードにおける動作を示す断面図である。
【図７】本発明の画像読み取り装置の、片面流し読みモードにおける動作を示す断面図である。
【図８】本発明の画像読み取り装置の、片面流し読みモードにおける動作を示す断面図である。
【図９】本発明の画像読み取り装置の、両面流し読みモードにおける動作を示す断面図である。
【図１０】従来の画像読み取り装置の動作を示す断面図である。
【符号の説明】
【００３３】
１０１  画像読み取り部
１０２  ＡＤＦ
２０１  ＣＩＳ１
２０２  ＣＩＳ２
３０１  給紙ローラ
３０２  分離ローラ
３０３  レジストローラ
３１０  第１の原稿搬送経路
３１１  搬送ローラ
３１２  搬送ローラ
３１３  搬送ローラ
３１４  搬送ローラ
３１５  搬送ローラ
３１６  搬送ローラ
３１７  プラテンローラ
３２０  第２の原稿搬送経路
３２１  搬送ローラ
３２２  搬送ローラ
３２３  搬送ローラ
３２４  搬送ローラ
３２５  プラテンローラ
４０１  給紙トレー
４０２  原稿検知センサ
４０３  フラッパ
４０４  ジャンプ台
４０５  排紙トレー
４０６  流し読みガラス
４０７  流し読みガラス
４０８  流し読みガラス
４０９  原稿台ガラス
４１０  圧板
【図１】
2006217033.tif 000003
【図２】
2006217033.tif 000004
【図３】
2006217033.tif 000005
【図４】
2006217033.tif 000006
【図５】
2006217033.tif 000007
【図６】
2006217033.tif 000008
【図７】
2006217033.tif 000009
【図８】
2006217033.tif 000010
【図９】
2006217033.tif 000011
【図１０】
2006217033.tif 000012